(57)【要約】【課題】太陽電池モジュール及びその架台を支持する壁面の損傷を防止する。【解決手段】建築物における構造躯体によって支持された複数の壁パネルにより形成された外壁の壁面に太陽電池モジュールを取り付ける架台取付具２１は、壁パネル５０同士の目地隙間５２を貫通する本体部２１ａと、本体部２１ａの一方の端部に設けられ、構造躯体である柱７０に取り付ける取付部２１ｂと、本体部２１ａの他方の端部に設けられ、架台１を支える支持部２１ｃとを備えている。【選択図】図８Ｂ
2020070674.tif 000002
【特許請求の範囲】
【請求項１】
建築物における構造躯体で支持された複数の壁パネルにより形成された外壁の壁面に太陽電池モジュールを取り付ける架台の取付具であって、
前記壁パネル同士の目地隙間を貫通する本体部と、
前記本体部の一方の端部に設けられ、前記構造躯体に取り付ける取付部と、
前記本体部の他方の端部に設けられ、前記架台を支える支持部とを備えている太陽電池モジュール用架台取付具。
【請求項２】
請求項１に記載の太陽電池モジュール用架台取付具において、
前記本体部は、板状部材で形成される太陽電池モジュール用架台取付具。
【請求項３】
請求項２に記載の太陽電池モジュール用架台取付具において、
前記支持部は、前記本体部の前記板状部材に連なって、その本体部に対して延長した板状延長部分を含んでおり、
前記板状延長部分は、
前記本体部の前記板状部材に対して垂直に屈曲された第１支持領域となり、
前記第１支持領域の屈曲部を起点として切り起こされた前記板状部材の一部が、前記第１支持領域と共に平面をなす第２支持領域となっており、
前記支持部は、前記第１支持領域と前記第２支持領域とを含む太陽電池モジュール用架台取付具。
【請求項４】
請求項２又は３に記載の太陽電池モジュール用架台取付具において、
前記架台を固定する固定プレートが、前記支持部に設けられており、
前記固定プレートのプレート面は、前記本体部における前記一方の端部と前記他方の端部とを結ぶ方向に対して直交する方向に取り付けられる太陽電池モジュール用架台取付具。
【請求項５】
請求項４に記載の太陽電池モジュール用架台取付具において、
前記固定プレートは、前記支持部に対して脱着式の締結具により取り付けられる太陽電池モジュール用架台取付具。
【請求項６】
請求項１〜５のいずれか１項に記載の太陽電池モジュール用架台取付具において、
前記取付部には、前記構造躯体と締結される締結ビスのビス孔が設けられており、
前記本体部には、前記構造躯体と接することにより、前記ビス孔を軸中心とする前記本体部の回動を制止する制止片が設けられている太陽電池モジュール用架台取付具。
【請求項７】
建築物における構造躯体によって支持された複数の壁パネルにより形成された外壁の壁面に太陽電池モジュールを取り付けた太陽電池モジュール設置構造であって、
それぞれ垂直方向に延びると共に、水平方向に間隔をおいて配置された複数の縦軸材を含む架台と、
前記架台に設置された複数の太陽電池モジュールと、
前記架台の前記縦軸材と、前記構造躯体とを連結する、請求項１〜６のいずれか１項に記載の太陽電池モジュール用架台取付具とを備えている太陽電池モジュール設置構造。
【発明の詳細な説明】
【技術分野】
【０００１】
本発明は、壁面に太陽電池モジュールを設置するための架台の取付具及びそれを用いた太陽電池モジュール設置構造に関する。
【背景技術】
【０００２】
太陽電池モジュールとそれを支持する架台の重量は合わせて１５ｋｇ／ｍ２程度になる。これらを屋根の上に設置するのであれば、モジュールと架台の全荷重を屋根面に伝達させられる。
【先行技術文献】
【特許文献】
【０００３】
【特許文献１】特開２０１６−０００９４９号公報
【発明の概要】
【発明が解決しようとする課題】
【０００４】
しかしながら、特許文献１のように、太陽電池モジュールと架台とを壁面に設置する場合は、太陽電池モジュールと架台の全荷重を壁面に支持させてしまう。そのため、太陽電池モジュールと架台とを支持する壁面が損傷して、漏水やさらには倒壊の原因となる。
【０００５】
本発明は、このような問題を解決し、太陽電池モジュール及びその架台を支持する壁面の損傷を防止することを目的とする。
【課題を解決するための手段】
【０００６】
前記の目的を達成するため、本発明の一態様は、建築物における構造躯体によって支持された複数の壁パネルにより形成された外壁の壁面に太陽電池モジュールを取り付ける架台の取付具であって、壁パネル同士の目地隙間を貫通する本体部と、本体部の一方の端部に設けられ、構造躯体に取り付ける取付部と、本体部の他方の端部に設けられ、架台を支える支持部とを備えている。
【０００７】
また、本発明の他の態様は、建築物における構造躯体によって支持された複数の壁パネルにより形成された外壁の壁面に太陽電池モジュールを取り付けた太陽電池モジュール設置構造であって、それぞれ垂直方向に延びると共に、水平方向に間隔をおいて配置された複数の縦軸材を含む架台と、架台に設置された複数の太陽電池モジュールと、架台の縦軸材と構造躯体とを連結する、本発明の太陽電池モジュール用架台取付具とを備えている。
【発明の効果】
【０００８】
本発明によれば、太陽電池モジュール及びその架台を支持する壁面の損傷が防止される。
【図面の簡単な説明】
【０００９】
【図１】図１は一実施形態に係る太陽電池モジュール設置構造の施工方法の第１ステップを説明する正面図である。
【図２】図２は一実施形態に係る太陽電池モジュール設置構造における外壁への縦軸材の取付構造を示す断面図である。
【図３】図３は一実施形態に係る太陽電池モジュール設置構造の施工方法の第２ステップを説明する正面図である。
【図４】図４は一実施形態に係る太陽電池モジュール設置構造における一段目の太陽電池モジュールの下部の設置構造を示す断面図である。
【図５】図５は一実施例に係る架台取付具を用いて壁面設置用の架台を外壁に設置した状態を示す模式的な正面図である。
【図６】図６は一実施例に係る架台取付具によって取り付けられた太陽電池モジュールを設置する架台を構成する取付レールを示す模式的な正面図である。
【図７】図７は図５に示す架台取付具を含む領域を示す縦方向の部分的な断面図である。
【図８Ａ】図８Ａは一実施例に係る架台取付具を示す右側面図である。
【図８Ｂ】図８Ｂは一実施例に係る架台取付具を示す斜視図である。
【図９】図９は一実施例に係る架台取付具に中央部用の固定プレートを取り付けた状態を示す正面図である。
【図１０】図１０は一実施例に係る架台取付具に端部用の固定プレートを取り付けた状態を示す正面図である。
【図１１】図１１は一実施例に係る架台を外壁に取り付ける架台取付具により、架台の左端部、中央部及び右端部を壁パネルに固定した状態を示す部分正面図である。
【図１２】図１２は図１１の断面図である。
【図１３】図１３は一実施例に係る壁パネルの柱への取付構造を示す斜視図である。
【発明を実施するための形態】
【００１０】
以下、本発明に関する実施形態を図面に基づいて詳細に説明する。以下の好ましい実施形態の説明は、本質的に例示に過ぎず、本発明、その適用物又はその用途を制限することを意図しない。
【００１１】
ここで、まず、本出願における「太陽電池モジュール」とは、電気的に接続された複数の太陽電池セルを含み、それらが樹脂等の封止材で保護された太陽電池パネルに対して、フレーム等を付随させた製品を意味する。
【００１２】
また、以下の説明では、太陽電池モジュール１０は、住宅等の建築物の外壁Ｗに取り付けられることから、建築物の屋根側に向く方向を「上」又は「上側」、地面側に向く方向を「下」又は「下側」と称することがある。外壁Ｗを正面視した場合、手前側を「前側」、及びこの手前側に対する反対側を「後側」、並びに前側後側を結ぶ方向を「前後方向」と称することがある。また、上側下側を結ぶ方向を「縦方向」（垂直方向と同意）、この縦方向及び前後方向に対して直交する方向を「横方向」（水平方向と同意）、この横方向の一方側を「右側」、他方側を「左側」と称することがある。
【００１３】
複数の太陽電池モジュール１０が地面側（下側）から屋根側（上側）に積み上げて多段状に配置される場合にあって、任意の２つの太陽電池モジュール１０を比較したとき、上側の太陽電池モジュール１０を「上段」の太陽電池モジュール１０、下側の太陽電池モジュール１０を「下段」の太陽電池モジュール１０と称することがある。各太陽電池モジュール１０は、太陽電池モジュール１０を電気的に接続するためのモジュール接続用ケーブルを２本有している。上段の太陽電池モジュール１０に接続するためのモジュール接続用ケーブルを「上段モジュール接続用ケーブル１２」、下段の太陽電池モジュール１０に接続するためのモジュール接続用ケーブルを「下段モジュール接続用ケーブル１３」と称することがある。
【００１４】
（一実施形態）
図１〜図４に基づいて、一実施形態に係る太陽電池モジュール設置構造及びその施工方法を説明する。なお、本実施形態に係る太陽電池モジュール設置構造は、太陽電池モジュール１０が縦方向に多段に設置されたユニットが横方向に複数列設けられたものであるが、以下では、主として、それらのうちの中間列で且つ最下段のユニットの施工方法について説明する。なお、二段目以降及び両端列のユニットの施工方法も基本的には同一である。
【００１５】
＜第１ステップ＞
本実施形態に係る太陽電池モジュール設置構造の施工方法では、第１ステップとして、図１に示すように、住宅等の建築物の外壁Ｗ上に、各々、縦方向に延びる複数の縦軸材２０を横方向に間隔をおいて取り付ける。
【００１６】
具体的には、まず、外壁Ｗにおける縦軸材２０の取付予定位置に、太陽電池モジュール用架台取付具（以下、架台取付具と呼ぶ。）２１を縦方向に所定の間隔をおいて配置して固定する。架台取付具２１は、例えば鋼板で形成されており、図２に示すように、前側プレート２１１と、その裏面の中央に結合して後側に延びる後側プレート２１２とを有する断面Ｔ字状部材である。架台取付具２１は、前側プレート２１１が外壁Ｗに並行に配置されると共に、後側プレート２１２が外壁Ｗの目地隙間に差し入れられ、その奥の図示しない鉄骨等の構造材（構造躯体）に締結される。架台取付具２１は、このようにして外壁Ｗに固定される。
【００１７】
次に、外壁Ｗにおける縦軸材２０の取付予定位置に固定した架台取付具２１に、取付レール２２を縦方向に一定の間隔をおいて配置して取り付ける。取付レール２２のこの取付は、その長さ方向の両側二箇所で行う。取付レール２２は、例えばめっき鋼板で形成されており、図２に示すように、幅広の正面部２２１と幅狭の側面部２２２とを有する断面Ｌ字状部材である。架台取付具２１の前側プレート２１１は、この前側プレート２１１の正面から向かって左半分が左側のユニットの取付レール２２のレール取付部であり、且つ右半分が右側のユニットの取付レール２２のレール取付部である。取付レール２２は、正面部２２１が前側プレート２１１の対応するレール取付部に接触すると共に、側面部２２２が外壁Ｗ側に延び、且つ正面部２２１と側面部２２２との内側の角部が前側プレート２１１に配置される。（なお、正面部２２１と側面部２２２との内側の角部が前側プレート２１１の側辺に当たっていても構わない。）そして、取付レール２２側からビスＢ１が取付レール２２の正面部２２１及び前面プレート２１１に形成されたビス孔２２１ａ、２１１ａに締め込まれる。取付レール２２は、このようにして架台取付具２１に取り付けられる。
【００１８】
次に、縦方向に隣接する取付レール２２間を架橋材２３で連結する。架橋材２３は、例えばめっき鋼板で形成されており、平板状部材である。架橋材２３は、その上端部が上側の取付レール２２の側面部２２２の下端部に接触すると共に、下端部が下側の取付レール２２の側面部２２２の上端部に接触するように配置される。そして、それらのそれぞれにおいて、架橋材２３側から図示しないビスが架橋材２３及び取付レール２２の側面部２２２に形成されたビス孔に締め込まれる。架橋材２３は、このようにして取付レール２２に取り付けられる。
【００１９】
このように、架台取付具２１により外壁Ｗに取り付けられた取付レール２２と架橋材２３とを交互に結合させ、そのようにして外壁Ｗに取り付けられた縦軸材２０を構成する。従って、取付レール２２及び架橋材２３は、縦軸材２０を構成する縦軸材構成部材である。この場合、縦軸材構成部材は、取付レール２２及び架橋材２３との形状の異なる２種の部材を含む。なお、縦軸材構成部材は、形状の異なる３種の以上の複数種の部材を含んでもよく、また、単一種の部材のみを含んでもよく、さらには、１本の単一部材であってもよい。
【００２０】
架台取付具２１、取付レール２２及び架橋材２３が、金属製の場合、架台取付具２１により取付レール２２が外壁Ｗに取り付けられ、また、取付レール２２間が架橋材２３よって連結されると共に電気的に導通される。このため、縦軸材２０は、全体として接地体を構成する。従って、縦軸材２０には、それを構成する取付レール２２及び架橋材２３の任意の位置に、各種装置から延びる接地線の電気的な接続が可能である。
【００２１】
＜第２ステップ＞
本実施形態に係る太陽電池モジュール設置構造の施工方法では、第２ステップとして、図３に示すように、最下段の一段目の太陽電池モジュール１０を設置する。
【００２２】
具体的には、まず、横方向に隣接する一対の縦軸材２０の下端部間に、それらを連結するようにレール補強板３０を取り付ける。また、それから縦方向に太陽電池モジュール１０の高さよりもやや短い間隔をおいて、それと平行に、別のレール補強板３０を、一対の縦軸材２０間に、それらを連結するように取り付ける。レール補強板３０は、例えばめっき鋼板で形成された平板状部材である。レール補強板３０は、その左端部が左側の縦軸材２０に接触すると共に、右端部が右側の縦軸材２０に接触するように配置される。そして、それらのそれぞれにおいて、レール補強板３０側から図示しないビスがレール補強板３０及び縦軸材２０に形成されたビス孔に締め込まれる。レール補強板３０は、このようにして縦軸材２０に取り付けられる。
【００２３】
以上説明した縦軸材２０である取付レール２２及び架橋材２３と、縦軸材２０同士を横方向に接続するレール補強板３０及びモジュール設置部材４０とによって、太陽電池モジュール設置用の架台が構成される。
【００２４】
次に、縦軸材２０の下端部間に取り付けた下側のレール補強板３０の上に重ねるようにモジュール設置材４０を取り付ける。モジュール設置材４０は、例えばめっき鋼板で形成されており、図４に示すように、板状屈曲部材であって、上部の平板部４１と、その下端に連続して前側に延びた後に下側に屈曲して延びた段差部４２と、その下端に連続して前側に延びた後に上側に屈曲して延びたコの字溝部４３とを有する。なお、コの字溝部４３の底部には水抜き孔が形成されていてもよい。また、コの字溝部４３の底部は、モジュール設置部材４０において、一体的に形成されているものに限定されるものではなく、別体的に形成されていても構わない。また、コの字溝部４３は、モジュール設置材４０の全長にわたって形成されている必要はなく、モジュール設置材４０の全長において部分的に形成されていても構わない。モジュール設置材４０は、平板部４１が下側のレール補強板３０の上に重ねられる。そして、その左端部及び右端部のそれぞれにおいて、モジュール設置材４０側からビスＢ２がモジュール設置材４０の平板部４１及びレール補強板３０に形成されたビス孔４１ａ、３０ａに締め込まれる。モジュール設置材４０は、このようにしてレール補強板３０に取り付けられる。
【００２５】
次に、一対の縦軸材２０とレール補強板３０及びモジュール設置材４０で形成される横長の長方形の枠の開口を封じるように一段目の太陽電池モジュール１０を設置する。太陽電池モジュール１０は、横長の長方形のモジュール本体１１と、各々、その裏面から延びた上段モジュール接続用ケーブル１２及び下段モジュール接続用ケーブル１３とを有する。上段モジュール接続用ケーブル１２及び下段モジュール接続用ケーブル１３のそれぞれは、電線のケーブル本体１２１、１３１と、その先端に取り付けられたコネクタ１２２、１３２とを有する。上段モジュール接続用ケーブル１２のコネクタ１２２と下段モジュール接続用ケーブル１３のコネクタ１３２とは接続可能とされている。なお、接続間違いを防ぐ観点からは、上段モジュール接続用ケーブル１２及び下段モジュール接続用ケーブル１３の同種のコネクタ同士は接続不能とされていることが好ましく、また、上段モジュール接続用ケーブル１２及び下段モジュール接続用ケーブル１３には、色分け等の視覚的識別手段が施されていることが好ましい。
【００２６】
一段目の太陽電池モジュール１０は、モジュール本体１１の下辺部がモジュール設置材４０のコの字溝部４３に嵌め入れられると共に、モジュール本体１１の裏面の両側辺部が一対の縦軸材２０に、及び裏面の上辺部が上側のレール補強板３０にそれぞれ接触するように設けられ、それによって縦軸材２０、レール補強板３０、及びモジュール設置材４０の枠に設置される。なお、モジュール本体１１とコの字溝部４３との間、及びモジュール本体１１とレール補強板３０との間のうちの少なくとも１つには、ゴム製等のガスケットを設けてもよい。
【実施例】
【００２７】
以下、一実施例に係る架台取付具２１について図面を参照しながら説明する。
【００２８】
図５は、一実施例に係る架台取付具２１によって、住宅用建築物の外壁Ｗの壁面に取り付けられた架台１の右下側端部を模式的に表した正面図である。
【００２９】
図５に示すように、架台１は、縦方向に分割された複数の取付レール２２と、分割された取付レール２２同士を連結する架橋材（図１を参照）と、横方向に配置された取付レール２２同士を接続するレール補強板３０とを含む。架台１は、例えば、軸組工法で用いられる複数の壁パネル５０の目地隙間５２を貫通して、構造躯体である柱（後述）と直接に取り付けられる架台取付具２１によって固定される。図５は、最下段に太陽電池モジュール１０を配置した状態を示す。ここで、壁パネル５０は、例えば軽量コンクリートによって形成された外壁Ｗの一例である。
【００３０】
架台１は、取付レール２２及び架橋材２３の追加により、縦方向にも横方向にも延長が可能であり、建築物の壁面の設置面積に応じて搭載可能な太陽電池モジュール１０の枚数を適宜変更する。
【００３１】
図６は太陽電池モジュール１０を設置する架台１を構成する取付レール２２が架台取付具２１によって取り付けられた状態を示す部分的な正面図である。図７は図６に示す架台１の架台取付具２１を含む領域を示す縦方向の部分的な断面図である。
【００３２】
図６及び図７に示すように、架台１の各取付レール２２は、架台取付具２１を用いて、建築物の外壁Ｗの壁面を支持する構造躯体である柱７０に固定される。具体的には、架台取付具２１は、建築物の外壁Ｗを構成する壁パネル５０の目地隙間５２を貫通して、例えば、Ｃチャンネル材である柱７０に固定される。
【００３３】
この架台取付具２１について、図８Ａの右側面図、図８Ｂの斜視図、及び図９及び図１０の正面図を参照しながらその構成を説明する。図８Ａ及び図８Ｂに示すように、架台取付具２１は、例えば鋼製の板状部材であって、互いに隣接する壁パネル５０の目地隙間５２を貫通する本体部２１ａと、該本体部２１ａの一方端側（一方の端部）に設けられ、建築物の柱７０に取り付ける取付部２１ｂと、本体部２１ａの他方端側（他方の端部）に設けられ、架台１を支える支持部２１ｃとを含む。取付部２１ｂには、柱７０とビスにより締結するビス孔２１ｂ１が縦方向の中央部に設けられている。
【００３４】
支持部２１ｃは、本体部２１ａとなる板状部材に連なって、その本体部２１aに対して延長する部分（板状延長部分）を含む。そして、この延長部分は、本体部２１ａとなる板状部材に対して垂直（直角）に屈曲される。（なお、このように屈曲された板状延長部分は第１支持領域２１ｃ１と称する）。また、この板状延長部分における屈曲した個所（屈曲部）を起点として切り起こされた板状部材の一部が、板状延長部分と共に平面を形成する（なお、切り起こされた板状部材の一部は、板状延長部分である第１支持領域２１ｃ１と共に、平面を形成することから、第２支持領域２１ｃ２と称する）。そして、支持部２１ｃは、これら第１支持領域２１ｃ１及び第２支持領域２１ｃ２を含む。また、支持部２１ｃの前側の端面（第２支持領域２１ｃ２）には、架台１を固定する固定プレート２１１ｃを締結する２つのビス孔２１ｃ３が縦方向に間隔をおいて設けられている。従って、この第１支持領域２１ｃ１と第２支持領域２１ｃ２とは、本体部２１ａと併せて平面視でＴ字状となり、固定プレート２１１ｃを介して取付レール２２と対向して取り付けられる。固定プレート２１１ｃは、前側プレート２１１の一例である。このとき、支持部２１ｃは、壁パネル５０の目地隙間５２から前側に飛び出すように固定される。
【００３５】
また、架台取付具２１の本体部２１ａには、柱７０と接する一対の制止片２１ｄが設けられていてもよい。具体的には、本体部２１ａと取付部２１ｂとの間における両側部に、対向する２つの切り欠き部を形成することで、残った部分を制止片２１ｄとする。この制止片２１ｄは、図８Ａに示すように、側面視で方形状であり、一対の制止片２１ｄのうち、上側の制止片２１ｄの上端面は取付部２１ｂの上端面とほぼ同一である。また、下側の制止片２１ｄの下端面は取付部２１ｂの下端面とほぼ同一である。さらに、図９及び図１０に示すように、各制止片２１ｄの先端部は、板状の本体部２１ａの面内に対して同一の方向にわずかに引き起こされている。これにより、制止片２１ｄは、柱７０の背面（Ｃチャンネルの反対側の面）と接触する。このようにして設けられた制止片２１ｄは、取付部２１ｂのビス孔２１ｂ１にビスを締結する際に、固定対象である柱７０の締結面（背面）と強く圧着されることにより、ビス孔２１ｂ１を軸中心とする本体部２１ａ、ひいては、架台取付具２１の回動が制止される。
【００３６】
これにより、架台取付具２１を柱７０に固定する際の作業が容易に且つ確実に行える。また、このような架台取付具２１、ひいてはそこに搭載される太陽電池モジュール１０は、それらの自重でビス孔２１ｂ１を軸中心とする回動もし難い。その結果、太陽電池モジュール１０と柱７０との間に介在する壁パネル５０に対して、太陽電池モジュール５０が接触し難い。
【００３７】
図９に架台取付具２１の支持部２１ｃに固定プレート２１１ｃを取り付けた状態を示す。
【００３８】
図９に示す固定プレート２１１ｃは、架台１の両端部を除いた取付レール２２に取り付ける際の固定プレートである。固定プレート２１１ｃには、支持部２１ｃに設けられた２つのビス穴２１ｃ３と対応する２つのビス孔２１１ｃ１が設けられており、固定プレート２１１ｃは、支持部２１ｃに対してビスＢ３によって締結される。ビスＢ３は、脱着式の締結具の一例である。
【００３９】
この固定プレート２１１ｃでは、そのプレート面の長手方向の中心付近が支持部２１ｃの端面に対向することにより、その中心付近を境にプレート面の長手方向の両側が板状の本体部２１ａの面に対して垂直に向けられて固定される。
【００４０】
これに対し、図１０に示す固定プレート２１１ｄは、架台１の端部に取り付ける際の固定プレートである。固定プレート２１１ｄは、前側プレート２１１の他の例である。この固定プレート２１１ｄでは、そのプレート面の長手方向の両端のうち一方端付近が支持部２１ｃの端面に対向することにより、プレート面の他方端側が板状の本体部２１ａの面に対して垂直に向けられて固定される。図１０に示す固定プレート２１１ｄは、正面視で架台１の右端部に用いる固定プレートである。架台１の左端部に用いる場合は、固定プレート２１１ｄを架台取付具２１に対して正面視で右側に取り付ける。固定プレート２１１ｄにおいても、支持部２１ｃに対して、固定プレート２１１ｃと同様に、２つのビス孔２１１ｄ１と、支持部２１ｃの２つのビス穴２１ｃ３とを通してビスＢ３によって締結される。
【００４１】
以上説明したように、本実施例に係る架台取付具２１は、架台１を壁パネル５０自体に固定するのではなく、構造躯体である柱７０に直接に固定する。すなわち、架台取付具２１が壁パネル５０自体に固定されず、架台１及びそれに設置された複数の太陽電池モジュールの全荷重が建築物の複数の柱７０に伝達する。その結果、太陽電池モジュール１０及びその架台１を支持する壁パネル５０の壁面の損傷が防止される。
【００４２】
さらに、架台取付具２１は、その支持部２１ｃに架台１を直接に固定するのではなく、支持部２１ｃに固定される固定プレート２１１ｃを介して架台１を固定する。このように、板状の架台取付具２１と、その端面である支持部２１ｃから、板状の本体部２１ａに対して垂直な方向に突き出す形状を有する固定プレート２１１ｃ、２１１ｄとを別体の構成とすることにより、一体の構成とする場合と比べて作製が容易となる。また、壁パネル５０同士の間である目地隙間５２へのシーリングが容易となる。
【００４３】
なお、架台取付具２１の側面の具体的な形状では、図８Ａに示すように、本体部２１ａ及び支持部２１ｃの縦方向の寸法（以下、高さ寸法とも呼ぶ。）は、取付部２１ｂの高さ寸法よりも大きくてもよい。このようにすると、取付レール２２から架台取付具２１に掛かる負荷（荷重）が、この幅広の本体部２１ａ及び支持部２１ｃによって分散される。
【００４４】
（架台取付具の取り付け例）
図１１は架台を壁パネル５０に取り付ける架台取付具２１により、架台の左端部、中央部及び右端部を壁パネル５０に固定した状態の正面図であり、図１２はその横方向の断面図である。図１１及び図１２に示すように、例えば、左端部の架台取付具２１は、その取付部２１ｂが壁パネル５０の目地隙間５２を貫通して１本の柱７０に固定され、その支持部２１ｃには中央部側（右側）にのみ延びる固定プレート２１１ｄが取り付けられる。同様に、右端部の架台取付具２１は、その取付部２１ｂが壁パネル５０の目地隙間５２を貫通して１本の柱７０に固定され、その支持部２１ｃには中央部側（左側）にのみ延びる固定プレート２１１ｄが取り付けられる。また、中央部の架台取付具２１は、その取付部２１ｂが壁パネル５０の目地隙間５２を貫通して２本の柱７０の間に挟持されて固定され、且つ、支持部２１ｃには両端側（左右側）に延びる固定プレート２１１ｃが取り付けられる。
【００４５】
ここで、壁パネル５０の柱７０への取り付け方法の一例として、図１２及び図１３を参照しながら説明する。壁パネル５０の柱７０への取り付けは、固定金具７２及び受け金具７３を用いて行われる。
【００４６】
図１２及び図１３に示すように、壁パネル５０の裏面における柱７０のＣチャンネル側であって、その近傍部分には、各柱７０に平行に延びる蟻溝５３がそれぞれ設けられている。また、図１３に示すように、各柱７０の下部には、各柱７０を横方向に連結する下水平枠７１が設けられている。
【００４７】
固定金具７２は、平面視でＬ字状の金具本体７４を有している。金具本体７４における壁パネル５０から柱７０側にほぼ９０度に屈曲する部分には、第１のねじ式締結具７５が設けられており、該第１のねじ式締結具７５が柱７０のＣチャンネル（内側）部分に固定される。
【００４８】
また、金具本体７４における壁パネル５０に平行な部分には、第２のねじ式締結具７６が設けられており、該第２のねじ式締結具７６が壁パネル５０の蟻溝５３に固定される。      
【００４９】
一方、蟻溝５３の下部には、下水平枠７１に載置される受け金具７３の係止片７４が嵌められて、壁パネル５０が固定される。さらに、係止片７４の下部に設けられた支持片７５の上面に壁パネル５０の下端面が当接して、壁パネル５０が受け金具７３に支持される。
【００５０】
なお、壁パネル５０の柱７０への取り付け方法は、図１３の構成に限られない。すなわち、互いに隣接する壁パネル５０の目地隙間５２と、柱７０の背面（Ｃチャンネルの反対側の面）とが平面視で揃う構成であればよい。このような構成であれば、本実施例に係る架台取付具２１が壁パネル５０の目地隙間５２を介して柱７０に取り付けられる。
【００５１】
また、壁パネル５０と柱７０との間に、例えば、断熱材等を挟み込む構成とする場合には、固定金具７２及び受け金具７３における各蟻溝５３までの距離を延長すると共に、架台取付具２１における本体部２１ａの前後方向の寸法をも同様に延長すれば対応が可能となる。
【００５２】
−効果−
本実施例においては、太陽電池モジュール１０の壁面設置用の架台１が、例えば軸組工法に用いられる壁パネル５０上に取り付けられる場合に、該架台１の架台取付具２１が壁パネル５０自体に取り付けられる代わりに、壁パネル５０の目地隙間５２を通してその裏面側の柱７０に直接に取りけられる。
【００５３】
これにより、架台１及びそれに設置された複数の太陽電池モジュールの全荷重が建築物の複数の柱７０に伝達するので、太陽電池モジュール１０及びその架台１を支持する壁面の損傷が防止される。
【００５４】
（その他の実施例）
上述した実施例では、取付レール２２を固定する固定プレート２１１ｃ、２１１ｄを、架台取付具２１と別体としているが、別体の構成に限られない。すなわち、固定プレート２１１ｃ、２１１ｄを、架台取付具２１と一体に形成してもよい。この場合には、例えば、固定プレート２１１ｃ、２１１ｄを、架台取付具２１の支持部２１ｃと溶接等によって固着してもよい。
【符号の説明】
【００５５】
１      架台
１０    太陽電池モジュール
１１    モジュール本体
２０    縦軸材
２１    取付具（架台取付具）
２１ａ  本体部
２１ｂ  取付部
２１ｂ１  ビス孔
２１ｃ  支持部
２１ｃ１  第１支持領域
２１ｃ２  第２支持領域
２１ｃ３  ビス孔
２１ｄ  制止片
２１１ｃ、２１１ｄ  固定プレート
２１１ｃ１、２１１ｄ１  ビス孔
２２    取付レール
２３    架橋材
５０    壁パネル
５２    目地隙間
７０    柱（構造躯体）
Ｗ      外壁
【図１】
2020070674.tif 000003
【図２】
2020070674.tif 000004
【図３】
2020070674.tif 000005
【図４】
2020070674.tif 000006
【図５】
2020070674.tif 000007
【図６】
2020070674.tif 000008
【図７】
2020070674.tif 000009
【図８Ａ】
2020070674.tif 000010
【図８Ｂ】
2020070674.tif 000011
【図９】
2020070674.tif 000012
【図１０】
2020070674.tif 000013
【図１１】
2020070674.tif 000014
【図１２】
2020070674.tif 000015
【図１３】
2020070674.tif 000016